(57)【要約】  【課題】十分な水解性を有しながら、しっとり感と紙力強度特性とを両立させ、かつ巻き取り時にも紙力強度を有し断紙を生じさせないトイレットペーパーを提供する。  【解決手段】少なくとも３枚以上の水解性紙シートを重ねたトイレットペーパーであって、露出している表面層１Ａ及び裏面層１Ｂの水解性紙シートに対して保湿系薬液を塗布し、中間層１Ｃ（１Ｄ、１Ｅ）の水解性紙シートは保湿系薬液を未塗布とする。前記表面層１Ａ及び裏面層１Ｂの水解性紙シートにおいて、保湿系薬液の塗布量は紙の乾燥重量に対して５〜３０重量％の割合で塗布する。【選択図】図１
2006042883.tif 000002
【特許請求の範囲】
【請求項１】
少なくとも３枚以上の水解性紙シートを重ねたトイレットペーパーであって、露出している表面層及び裏面層の水解性紙シートに対して保湿系薬液を塗布し、中間層の水解性紙シートは保湿系薬液を未塗布としたことを特徴とするトイレットペーパー。
【請求項２】
前記表面層及び裏面層の水解性紙シートにおいて、保湿系薬液の塗布量は紙の乾燥重量に対して５〜３０重量％の割合で塗布してある請求項１記載のトイレットペーパー。
【請求項３】
摩擦係数の平均偏差（摩擦子を移動させたときの表面粗さの変動：ＭＭＤ）は７．０〜１２．０である請求項１，２いずれかに記載のトイレットペーパー。
【請求項４】
前記トイレットペーパーは、JIS P 8113に基づく乾燥引張強度が、（縦方向）２００〜５００cN/15mm、（横方向）５０〜２００cN/15mmである請求項１〜３いずれかに記載のトイレットペーパー。
【請求項５】
前記保湿系薬液として、グリセリン、ジグリセリン、プロピレングリコール、1,3-ブチレングリコール、ポリエチレングリコール等の多価アルコール、ソルビトール、グルコース、キシリトール、マルトース、マルチトール、マンニトール、トレハロース等の糖類、グルコール系薬剤およびその誘導体、セタノール、ステアリルアルコール、オレイルアルコール等の高級アルコール、流動パラフィンからなる群の内の１種以上を単独又は任意の組合せで用いる請求項１〜４いずれかに記載のトイレットペーパー。
【請求項６】
前記水解性紙シートの米坪は１０〜３０g/m２である請求項１〜５いずれかに記載のトイレットペーパー。
【発明の詳細な説明】
【技術分野】
【０００１】
本発明は、保湿系薬液によるしっとり感と、紙力強度特性とを両立させたトイレットペーパーに関する。
【背景技術】
【０００２】
シート状或いはロール状の形態で提供されているトイレットペーパーでは、しっとり感を持たせるために、保湿系薬液を含浸させたものが知られている。しかし、保湿系薬液を含浸させると、紙力が低下し紙が破れやすくなるとともに、巻取り加工時に断紙が発生し易くなるなどの問題があった。一方で、この種のトイレットペーパーは、使用後に水洗式トイレに流して廃棄する必要があるため、水解性が良好でなくてはならず、紙力増加のための湿潤紙力増強剤を使用することができない。
【０００３】
そこで、下記特許文献１では、水解性の原紙に、保湿系薬液としてグリセリン、ジグリセリン、平均分子量が所定範囲のポリエチレングリコール、ソルビット、プロピレングリコール、１，３−ブチレングリコール、グリシンベタイン、ピロリドンカルボン酸、ピロリドンカルボン酸塩、マルチトール、乳酸ナトリウムのうちの一種以上の成分、及び、乾燥紙力増強剤としてカルボキシメチルセルロースナトリウム、澱粉、変性澱粉、グァーガム、ポリビニールアルコール、ポリアクリルアマイドのうちの一種以上の成分を含み、または、これらに加えて、水溶性ワックスとして平均分子量が所定範囲のポリエチレングリコールを含む水解紙が提案されている。
【特許文献１】特開平９−１５４７６４号公報
【発明の開示】
【発明が解決しようとする課題】
【０００４】
しかしながら、上記特許文献１の場合、保湿系薬液を含浸処理した後、所定の時間放置し（同文献では、湿度６５±５％、温度２０±１℃で２０時間静置）、自然乾燥させた状態では、乾燥紙力増強剤の添加による水素結合の補強により紙力を維持することが可能であるけれども、保湿系薬液の塗工時又はスプレー塗布時には、紙は湿潤した状態にあり、前記乾燥紙力増強剤による紙力増強効果は望めないため、やはり巻取り加工時に断紙が生ずるおそれがある。
【０００５】
そこで本発明の主たる課題は、十分な水解性を有しながら、しっとり感と紙力強度特性とを両立させ、かつ巻き取り時にも紙力強度を有し断紙を生じさせないトイレットペーパーを提供することにある。
【課題を解決するための手段】
【０００６】
前記課題を解決するために請求項１に係る本発明として、少なくとも３枚以上の水解性紙シートを重ねたトイレットペーパーであって、露出している表面層及び裏面層の水解性紙シートに対して保湿系薬液を塗布し、中間層の水解性紙シートは保湿系薬液を未塗布としたことを特徴とするトイレットペーパーが提供される。
【０００７】
上記請求項１記載の本発明においては、少なくとも３枚以上の水解性紙シートを重ねたトイレットペーパーとし、表面層及び裏面層の水解性紙シートに対して保湿系薬液を塗布し、中間層の水解性紙シートは保湿系薬液を未塗布とする。従って、肌に接触する表面層及び裏面層のトイレットペーパーは保湿系薬液の塗布によりしっとり感が付与される一方で、中間層のトイレットペーパーには保湿系薬液を未塗布としたため、紙力を保持でき、巻取り加工時にも断紙を生じさせることがなくなる。
【０００８】
請求項２に係る本発明として、前記表面層及び裏面層の水解性紙シートにおいて、保湿系薬液の塗布量は紙の乾燥重量に対して５〜３０重量％の割合で塗布してある請求項１記載のトイレットペーパーが提供される。
【０００９】
請求項３に係る本発明として、摩擦係数の平均偏差（摩擦子を移動させたときの表面粗さの変動：ＭＭＤ）は７．０〜１２．０である請求項１，２いずれかに記載のトイレットペーパーが提供される。
【００１０】
請求項４に係る本発明として、前記トイレットペーパーは、JIS P 8113に基づく乾燥引張強度が、（縦方向）２００〜５００cN/15mm、（横方向）５０〜２００cN/15mmである請求項１〜３いずれかに記載のトイレットペーパーが提供される。
【００１１】
請求項５に係る本発明として、前記保湿系薬液として、グリセリン、ジグリセリン、プロピレングリコール、1,3-ブチレングリコール、ポリエチレングリコール等の多価アルコール、ソルビトール、グルコース、キシリトール、マルトース、マルチトール、マンニトール、トレハロース等の糖類、グルコール系薬剤およびその誘導体、セタノール、ステアリルアルコール、オレイルアルコール等の高級アルコール、流動パラフィンからなる群の内の１種以上を単独又は任意の組合せで用いる請求項１〜４いずれかに記載のトイレットペーパーが提供される。
【００１２】
請求項６に係る本発明として、前記水解性紙シートは、米坪が１０〜３０g/m２である請求項１〜５いずれかに記載のトイレットペーパーが提供される。
【発明の効果】
【００１３】
以上詳説のとおり本発明によれば、十分な水解性を有しながら、しっとり感と紙力強度特性とを両立させることが可能であるとともに、巻き取り時にも紙力強度を有し断紙を生じさせることがなくなる。
【発明を実施するための最良の形態】
【００１４】
以下、本発明の実施の形態について図面を参照しながら詳述する。
【００１５】
本発明に係るトイレットペーパーは、少なくとも３枚以上の水解性紙シートを重ねたトイレットペーパーであって、露出している表面層及び裏面層の水解性紙シートに対して保湿系薬液を塗布し、中間層の水解性紙シートは保湿系薬液を未塗布とするものである。
【００１６】
具体的には、図１(A)に示されるように、水解性紙シートを３層構造とした場合には、その表裏面層１Ａ、１Ｂには保湿系薬液を塗布し、中間層１Ｃには保湿系薬液を未塗布とし、仮に図１(B)に示されるように、水解性紙シートを４層構造とした場合には、その表裏面層１Ａ、１Ｂには保湿系薬液を塗布し、中間層１Ｃ、１Ｄには保湿系薬液を未塗布とし、更に図１(C)に示されるように、水解性紙シートを５層構造とした場合には、その表裏面層１Ａ、１Ｂには保湿系薬液を塗布し、中間層１Ｃ、１Ｄ、１Ｅには保湿系薬液を未塗布とするものである。
【００１７】
トイレットペーパーは、少なくとも３層以上とされるが、好ましくは６層以下とし、より好ましくは３層若しくは４層とするのがよい。構造上、３層未満では本発明の構成を採ることが出来ず、６層を超える場合には使用感が悪くなる。
【００１８】
前記表面層１Ａ及び裏面層１Ｂの水解性紙シートにおいて、保湿系薬液の塗布量は紙の乾燥重量に対して５〜３０重量％、好ましくは１０〜２５％、より好ましくは１２〜１８％の割合で塗布するのが望ましい。塗布量が５％未満では充分なしっとり感を得ることができない。塗布量が３０％を超える場合には、べた付き感がでるため使用感が悪くなる。なお、表裏面層１Ａ、１Ｂの水分率（紙の水分を含む全水分率）としては、７〜２０％、好ましくは１０〜１５％とするのが望ましい。
【００１９】
前記保湿系薬液としては、例えばグリセリン、ジグリセリン、プロピレングリコール、1,3-ブチレングリコール、ポリエチレングリコール等の多価アルコール、ソルビトール、グルコース、キシリトール、マルトース、マルチトール、マンニトール、トレハロース等の糖類、グルコール系薬剤およびその誘導体、セタノール、ステアリルアルコール、オレイルアルコール等の高級アルコール、流動パラフィンなどからなる群の内の１種以上を単独又は任意の組合せで用いることができる。また、これにグリシン、アスパラギン酸、アルギニン、アラニン、シスチン、システィンなどのアミノ酸、アロエエキス、アマチャエキス、アシタバエキス、カリンエキス、キュウリエキス、スギナエキス、トマトエキス、ノバラエキス、ヘチマエキス、ユリエキス、レンゲソウエキスなどの植物抽出エキスや、オリーブ油、ホホバ油、ローズヒップ油、アーモンド油、ユーカリ油、アボカド油、ツバキ油、大豆油、サフラワー油、ゴマ油、月見草油等の植物油や、ビタミン、加水分解コラーゲン、加水分解ケラチン、加水分解シルク、キトサン、尿素、ハチミツ、ローヤルゼリー、ヒアルロン酸ナトリウム、セラミド、スクワラン、ワセリンなどを配合することができる。
【００２０】
前記表裏面層の表面特性に関して、摩擦係数の平均偏差（摩擦子を移動させたときの表面粗さの変動：ＭＭＤ）は７．０〜１２．０、好ましくは７．０〜１０．０とするのが望ましい。前記ＭＭＤは、カトーテック株式会社製「摩擦感テスター  ＫＥＳＳＥ」を用いて測定した値である。測定に際しては、図２に示されるように、直径５mmのピアノ線を１０本隣接させ、先端の曲率半径が０．２５mmの単位膨出部を隣接して有し、全幅が５mmの連続した接触面を有し、その接触面の長さは５mmである摩擦子を、紙試料に５０ｇの接触圧で接触させながら、移動方向に２０ｇ／ｃｍの張力を紙試料に与えつつ、０．１ｃｍ／秒の速度で２ｃｍ移動させたときの摩擦係数を測定し、この摩擦係数を摩擦距離（移動距離＝２ｃｍ）で除した値とする。
【００２１】
前記ＭＭＤが７．０未満の場合は、拭き取り時の摩擦が小さく、拭き取りに適さないシートとなり、１２．０を超える場合には、表面性が粗くガサガサして使用感が悪くなる。
【００２２】
前記水解性紙シートの米坪は１０〜３０g/m２、１３〜２０g/m２とし、かつトイレットペーパーは、JIS P 8113に基づく乾燥引張強度が、（縦方向）２００〜５００cN/15mm、（横方向）５０〜２００cN/15mmとするのが望ましい。引張強度が上記数値未満の場合には拭き取り時に破れが生じることがある。また、上記数値を超える場合には、硬さがあり拭き取り性が悪くなる。
【００２３】
前記水解性紙シートの主原料となるパルプは、前記広葉樹クラフトパルプ（ＬＢＫＰ）及び針葉樹クラフトパルプ（ＮＢＫＰ）などの化学パルプの他、古紙を脱墨処理して得られる脱墨パルプを用いてもよい。また、これらのパルプは未晒パルプ、晒パルプの状態で用いても良い。
【００２４】
前記広葉樹クラフトパルプ（ＬＢＫＰ）及び針葉樹クラフトパルプ（ＮＢＫＰ）を配合する場合には、針葉樹クラフトパルプを３０〜７０重量％、好ましくは４０〜６０重量％の割合で配合するのが望ましい。針葉樹クラフトパルプの配合量が３０重量％未満の場合には十分な強度を確保し難くなる。また、７０重量％を超える場合には、柔らかさが無くなり使用感が悪くなる。
【００２５】
ところで、水解性紙シートへの保湿系薬液の塗布は、各水解性紙シートを積層した後、その表裏面層に対して保湿系薬液をスプレー塗布したり、グラビア転写又はフレキソ転写方式によって保湿系薬液を転写することにより塗工することができる。なお、保湿系薬液の塗布はオンライン又はオフラインのいずれの方式で行ってもよい。
【００２６】
〔他の形態例〕
(1)本発明に係るトイレットペーパーは、シート状（例えば、ボックス内に折り畳んで提供されるティッシュペーパーと同様の形態）或いはロール状（ロールホルダーに取付けできるように芯有又は芯無しでロール状に巻いた形態）の形態のいずれの形態でも提供することが可能である。
【実施例】
【００２７】
以下、本発明の効果を検証するための引張強度試験及びＭＭＤ試験を行った。
【００２８】
坪量１５g/m２の水解性紙シートを用い、３層構成により下記５ケースのトイレットペーパー供試体を作成した。なお、保湿系薬液はグリセリンベースの保湿剤を用いた。
ケース１：保湿系薬液を未塗布
ケース２：保湿系薬液を１０％の割合で３層のすべてに塗布
ケース３：保湿系薬液を１０％の割合で表裏層に塗布し、中間層は未塗布
ケース４：保湿系薬液を２０％の割合で３層のすべてに塗布
ケース５：保湿系薬液を１０％の割合で表裏層に塗布し、中間層は未塗布
上記５つの供試体に対し、JIS P 8113に基づく乾燥引張強度試験を行い、縦方向引張強度と横方向引張強度試験を行うとともに、ＭＭＤ試験を行った。
【００２９】
結果は下表１に示すとおりであった。
【００３０】
【表１】
2006042883.tif 000003
上記表１より、本発明トイレットペーパーに係るケース２及びケース５の場合は、３層すべてに保湿系薬液を塗布したケース２及びケース４に比べて、保湿系薬液塗布の影響による強度低下を抑えることができ、相対的に引張強度の向上が図れることが判明した。
【図面の簡単な説明】
【００３１】
【図１】本発明に係るトイレットペーパーの断面構成例を示す図である。
【図２】ＭＭＤの試験要領を示す図である。
【符号の説明】
【００３２】
１Ａ…表面層、１Ｂ…裏面層、１Ｃ・１Ｄ・１Ｅ…中間層
【図１】
2006042883.tif 000004
【図２】
2006042883.tif 000005